(57)【要約】【課題】複数のホームページを対象として、ファックスを利用したホームページの作成・更新を行う。【解決手段】複数のホームページを対象とし、ホームページに情報を掲載するための会員契約を結んだ会員から送られてくるファックスデータをホームページに掲載するためのデータに変換して、ホームページの作成・更新を行うシステムにおいて、会員が契約を結んだホームページごとに専用の電話番号が定められており、会員からの着呼電話番号に基づいて、いずれのホームページの会員であるかを識別して、受信したファックスデータのデータ変換処理を行った後、識別した会員のホームページの作成・更新を行う。【選択図】図１
2004259165.tif 000002
【特許請求の範囲】
【請求項１】
複数のホームページのうちの１のホームページに情報を掲載するための会員契約を結んだ会員から送られてくるファックスデータを受信する受信手段と、
会員からの着呼電話番号に基づいて、いずれのホームページの会員であるかを識別する識別手段と、
前記受信手段により受信したファックスデータをホームページに掲載するためのデータに変換するデータ変換手段と、
前記データ変換手段により変換されたデータに基づいて、前記識別手段により識別されたホームページの作成・更新を行うホームページ生成手段とを備えることを特徴とするホームページ作成・更新装置。
【請求項２】
請求項１に記載のホームページ作成・更新装置において、
ホームページと電話番号とを対応付けたテーブルを記憶した記憶手段をさらに備え、
前記識別手段は、前記記憶手段に記憶されたテーブルと会員からの着呼電話番号とに基づいて、いずれのホームページの会員であるかを識別することを特徴とするホームページ作成・更新装置。
【請求項３】
請求項１または２に記載のホームページ作成・更新装置において、
前記受信手段により受信されたファックスデータを、前記識別手段により識別されたホームページごとに格納する格納手段をさらに備えることを特徴とするホームページ作成・更新装置。
【請求項４】
請求項１〜３のいずれかに記載のホームページ作成・更新装置において、
前記ホームページごとに専用の電話番号を割り当てるために、１つの電話回線の契約で複数の電話番号の契約が可能なサービスを利用することを特徴とするホームページ作成・更新装置。
【請求項５】
複数のホームページのうちの１のホームページに情報を掲載するための会員契約を結んだ会員から送られてくるファックスデータを受信する手順と、
ホームページごとに専用の電話番号が定められている会員からの着呼電話番号に基づいて、いずれのホームページの会員であるかを識別する手順と、
受信したファックスデータをホームページに掲載するためのデータに変換する手順と、
データ変換後のデータに基づいて、識別されたホームページの作成・更新を行う手順とからなるホームページ作成・更新方法。
【発明の詳細な説明】
【０００１】
【発明の属する技術分野】
本発明は、ファックスを利用して、ホームページの作成・更新を行うホームページ作成・更新装置および方法に関する。
【０００２】
【従来の技術】
従来、ファックスを利用して、簡単にホームページの作成・更新を行うことができるシステムが知られている（特許文献１参照）。このシステムでは、利用者がホームページに掲載する内容をファックスにてＣＴＩサーバに送信し、ＣＴＩサーバは、受信したファックスデータをデータ変換することにより、ホームページの作成・更新を行う。また、ある地域の商店街の複数の店が参加する地域ポータルサイトに、各店がファックスを利用してホームページ上に広告を掲載することシステムが知られている。
【０００３】
【特許文献１】
特開２００２−１９７０１８号公報
【０００４】
【発明が解決しようとする課題】
しかしながら、従来のシステムを用いて地域ポータルサイトに広告を掲載するためには、ファックスデータをホームページに掲載するためのデータに変換するＣＴＩサーバを地域ポータルサイトごとに設ける必要があるため、システムの導入にコストがかかり、また、システムの立ち上げにも時間がかかるという問題があった。
【０００５】
本発明は、コストをかけずに、複数のホームページを対象として、ファックスを利用してホームページの作成・更新を行うことができる装置および方法を提供する。
【０００６】
【課題を解決するための手段】
（１）本発明によるホームページ作成・更新装置は、ホームページに情報を掲載するための会員契約を結んだ会員から送られてくるファックスデータを受信する受信手段と、会員からの着呼電話番号に基づいて、いずれのホームページの会員であるかを識別する識別手段と、受信したファックスデータをホームページに掲載するためのデータに変換するデータ変換手段と、データ変換後のデータに基づいて、識別手段により識別されたホームページの作成・更新を行うホームページ生成手段とを備えることを特徴とする。
（２）本発明によるホームページ作成・更新方法は、ホームページに情報を掲載するための会員契約を結んだ会員から送られてくるファックスデータを受信する手順と、会員からの着呼電話番号に基づいて、いずれのホームページの会員であるかを識別する手順と、受信したファックスデータをホームページに掲載するためのデータに変換する手順と、データ変換後のデータに基づいて、識別されたホームページの作成・更新を行う手順とからなることを特徴とする。
【０００７】
【発明の実施の形態】
図１は、本発明によるホームページ作成・更新装置の一実施の形態の全体構成を示す図である。なお、ここでのホームページには、各サイトにおけるインターネット上で閲覧可能な全てのウェブページが含まれる。一実施の形態におけるホームページ作成・更新装置では、ファックスを利用したホームページの作成・更新アプリケーションをＡＳＰ事業者が提供する。従って、ＡＳＰ事業者は、地域ポータルサイト等のホームページを運営する複数のサイト事業者と契約して、ホームページの作成・更新アプリケーションを提供することができる。
【０００８】
地域の店舗などの情報提供者は、地域ポータルサイト（ホームページ）に情報を掲載するための会員契約を結んで会員となっておく必要がある。会員契約を結ぶと、会員ごとに固有の会員番号、パスワードが与えられる。また、ホームページに掲載するファックス画像（以下、チラシと呼ぶ）をファックスで送信した時に、後述するイメージデータベース２０にファックスデータを保存する場所を示すチラシボックスの番号も割り当てられる。
【０００９】
ＡＳＰ事業者は、ファックスを利用したホームページの作成・更新を行うために、ファックスサーバ１０と、イメージデータベース２０と、ＳＱＬサーバ３０と、ＷＷＷサーバ４０とを有する。ファックスサーバ１０は、情報提供者が有するカラーファックス端末ｆ１〜ｆ５から電話がかけられることにより、電話回線（電話網）により接続され、情報提供者（会員）がファックスｆ１〜ｆ５端末を用いて送信するチラシを受信する。受信したチラシの画像データは、一定の変換処理が行われた後に、会員のチラシボックスに対応させてイメージデータベース２０に保存される。ＳＱＬサーバ３０には、システムを管理するための情報、地域ポータルサイトごとのグループの情報、地域ポータルサイトの会員の情報、チラシボックスに関する情報、ファックスｆ１〜ｆ５を用いて送信されてきたチラシの情報等が格納されている。
【００１０】
図２は、本システムのデータの階層構造を示す図である。図２に示すように、地域ポータルサイトごとにグループを形成しており、各グループごとに複数の会員が存在する。チラシボックスは、上述したように、ホームページに掲載するファックス画像を格納しておくフォルダに対応し、１人の会員が複数のチラシボックスを保有することができる。チラシは、ファックス画像の１ページに対応する。
【００１１】
ＳＱＬサーバ３０に格納される会員情報には、会員が所属するグループの番号、会員番号およびパスワード等が含まれる。図３に、グループ番号と会員番号とパスワードとを対応させた会員番号テーブルを示す。この会員番号テーブルは、後述するように、ファックスサーバ１０が会員の認証を行う際に用いられる。
【００１２】
ＷＷＷサーバ４０で動作するアプリケーションには、管理用アプリケーション、グループ管理用アプリケーション、画像閲覧用アプリケーションがある。管理用アプリケーションは、システムのＡＳＰ運用のための管理アプリケーションであり、システム運用に必要なパラメータ等の設定、利用するグループ情報の管理、システムの保守情報の管理などを行う。グループ管理用アプリケーションは、ポータルサイトを運営するサイト事業者等のＡＳＰ利用者が利用するためのアプリケーションであり、サイトの会員や保存されている画像等の管理を行う。画像閲覧用アプリケーションは、一般利用者がポータルサイトの画像を閲覧・検索するためのアプリケーションである。画像閲覧用アプリケーションの実行により、イメージデータベース２０およびＳＱＬサーバ３０に保存されているデータに基づいて、一般利用者が閲覧できるウェブページが作成・編集される。
【００１３】
ファックスサーバ１０が会員からのファックスデータを受信するための電話回線には、ＮＴＴが提供するダイヤルイン（商標登録番号第２６０９７３９号：日本電信電話株式会社）サービスを利用する。すなわち、１本の電話回線で複数の電話番号を契約し、地域ポータルサイトごとに異なる電話番号を割り当てる。電話番号と地域ポータルサイトのグループ番号とを対応させたテーブルを図４に示す。従って、地域ポータルサイトＰ１の会員は、ホームページに掲載するためのチラシをファックスｆ１〜ｆ５で送信する際に、Ｐ１専用の電話番号をかける。同様に、地域ポータルサイトＰ２，Ｐ３の会員も、ホームページに掲載するためのチラシをファックスｆ１〜ｆ５で送信する際に、Ｐ２，Ｐ３専用の電話番号をそれぞれかける。上述したように、１本の電話回線を利用するので、Ｐ１，Ｐ２，Ｐ３のいずれの電話番号をかけた場合にも、ファクスサーバ１０に着信がある。この場合、ファックスサーバ１０には、ダイヤルインを利用した着信電話番号が通知されるので、着信電話番号に基づいて、利用者がＰ１，Ｐ２，Ｐ３のいずれの電話番号をかけてきたのかを識別することができる。なお、ここでの着信電話番号とは、会員が発呼した電話番号であり、会員の発信者電話番号ではない。
【００１４】
以下では、地域ポータルサイトＰ１の会員がファックスを送信する場合について説明する。地域ポータルサイトＰ１の会員は、会員の所属するグループ（Ｐ１）の専用の電話番号に、ファックス端末ｆ１〜ｆ５から電話をかける。上述したように、ファックスサーバ１０には着信番号が通知されるので、ファックスサーバ１０は、通知される着信番号と図４に示すテーブルとに基づいて、ファックスを送信してきた会員のグループを識別する。
【００１５】
上述した会員グループの識別処理とともに、ファックスサーバ１０は、電話をかけてきた会員に対して、会員番号の入力、パスワードの入力を促す音声案内を流す。会員は、音声案内に従って、ファックス端末ｆ１〜ｆ５のダイヤルボタンを用いて、会員番号、パスワードをＤＴＭＦ（Ｄｕａｌ  Ｔｏｎｅ  Ｍｕｌｔｉ  Ｆｒｅｑｕｅｎｃｙ）で入力する。ファックスサーバ１０は、ＳＱＬサーバ３０に格納されているグループの会員番号テーブル（図３参照）と、会員により入力された会員番号およびパスワードとに基づいて、会員の認証処理を行う。
【００１６】
グループの会員であることが認証された会員は、ファックスサーバ１０からの音声案内に従って、「ファックスからの画像の登録」、「登録されている画像の削除」、「パスワードの変更」の処理区分をＤＴＭＦで入力する。会員が「ファックスからの画像の登録」の処理区分を選択した場合には、ファックスサーバ１０からの音声案内に従って、処理対象とするボックス番号をＤＴＭＦで入力した後に、登録する画像をファックス端末ｆ１〜ｆ５から送信する。送信が終了すると、回線は切断される。
【００１７】
なお、ファックス画像の登録には、最新の画像をホームページに掲載するための上書きモードと、新たに掲載するための画像を追加する追加モードとを選択することができる。会員が上書きモードを選択した場合には、その会員が今までに掲載していた画像の上に上書きする形で掲載される。一方、追加モードを選択した場合には、今までに掲載していた画像とは別に、登録した画像が新たに掲載される。
【００１８】
ファックスサーバ１０は、受信したチラシの画像を会員の指定するチラシボックスに対応させて、イメージデータベース２０に保存する。ＷＷＷサーバ４０は、イメージデータベース２０に保存されたファックス受信形式のチラシ画像をホームページで閲覧可能な画像形式に変換する。すなわち、ファクシミリ用ＪＰＥＧ形式からＷＷＷブラウザで表示するためのＪＰＥＧ形式に変換する。
【００１９】
ＷＷＷサーバ４０により、ホームページで閲覧可能な画像形式に変換された画像は、さらに予め登録されている変換パラメータに基づいて、ホームページでのレイアウトに合わせて再変換される。変換パラメータには、画像の横方向の切り出し開始位置を示すパラメータＸ、画像の縦方向の切り出し開始位置を示すパラメータＹ、画像の切り出し幅を示すパラメータＷ、画像の切り出し高さを示すパラメータＨ、画像の変換品質を示すパラメータＱが含まれる。
【００２０】
ホームページで閲覧可能な画像形式に変換された画像は、グループ単位、会員単位など、利用者の要求に沿ったレイアウトでホームページに自動編集される。例えば、グループ単位のレイアウトで編集する場合には、グループに属する複数の会員の画像をサムネール形式で表示することができる。また、会員単位のレイアウトで編集する場合にも、その会員に属する複数の画像をサムネール形式で表示することができる。サムネール形式で複数の画像を表示した場合には、例えば、マウス（不図示）を用いて１つの画像をクリックすることにより、１ページに１つの画像を拡大して表示することができる。
【００２１】
画像の閲覧を希望する一般利用者は、パソコン等の端末を用いてインターネットに接続して、ホームページ（地域ポータルサイト）にアクセスする。通常、ホームページに掲載するためのデータは、地域ポータルサイトの運営者等が所有するウェブサーバ（不図示）に格納されている。本実施の形態では、上述した画像が掲載されるホームページは、ＷＷＷサーバ４０で編集されてＷＷＷサーバ４０内に格納されているホームページデータにリンクが張られているため、ＷＷＷサーバ４０から一般利用者のパソコン端末にホームページデータが送信される。これにより、一般利用者は、ホームページをウェブブラウザに表示させて、画像を閲覧することができる。画像が表示されるホームページでは、利用者の要求に応じて、会員名やボックスに予め指定されているキーワード等により、表示する画像の検索が行えるようにしておく。
【００２２】
上述した説明は、会員がファックスサーバ１０に電話をかけて、「ファックスからの画像の登録」の処理区分を選択した場合であるが、会員が「登録されている画像の削除」および「パスワードの変更」の処理区分をそれぞれ選択した場合についても説明する。会員が「登録されている画像の削除」の処理区分を選択した場合には、ファックスサーバ１０からの音声案内に従って、処理対象とするボックス番号をＤＴＭＦで入力する。
【００２３】
ファックスサーバ１０は、イメージデータベース２０内の会員が指定したボックス番号のチラシボックスに保存されているファックス画像のうち、最新のファックス画像（最後に保存したファックス画像）を削除する。この後、ＷＷＷサーバ４０がイメージデータベース２０に格納されている画像に基づいてホームページの編集を行うことにより、会員が指定した画像がホームページ上から削除される。
【００２４】
また、会員が「パスワードの変更」の処理区分を選択した場合には、ファックスサーバ１０からの音声案内に従って、変更するパスワードをＤＴＭＦで入力する。変更されたパスワードは、ＳＱＬサーバ３０に格納されている会員情報に新たに保存される。
【００２５】
以上、一実施の形態におけるホームページ作成・更新システムは、複数のホームページを対象とし、ホームページに情報を掲載するための会員契約を結んだ会員から送られてくるファックスデータをホームページに掲載するためのデータに変換して、ホームページの作成・更新を行うシステムである。このホームページ作成・更新システムでは、会員が契約を結んだホームページごとに専用の電話番号が定められており、会員からの着呼電話番号に基づいて、いずれのホームページの会員であるかを識別するので、コストをかけずに複数のホームページの作成・更新を行うことができる。従って、ホームページが地域の商店街の各店舗が情報を掲載する地域ポータルサイトなどの場合には、１台のファックスサーバ１０を用いて、複数の地域に対して、ファックスを利用したホームページの作成・更新サービスを提供することができる。すなわち、地域ごとにファックスサーバ１０を設ける方法に比べて、コストメリットが大きい。
【００２６】
また、ファックスを利用したホームページの作成・更新システムをＡＳＰサービスとして提供するので、地域ポータルサイト等のサイト事業者が、本システムにおけるファックスサーバ１０やＷＷＷサーバ４０を設ける必要がない。すなわち、サイト事業者においても、初期コストを抑えて、素早くシステムを立ち上げることができる。
【００２７】
会員がファックスを送信するための電話回線において、グループごとに別の電話番号を設けずに、同一の電話番号とし、会員が契約を結んだホームページを自ら指定する方法も考えられる。しかし、この場合には、会員にホームページ（グループ）を指定する操作負担が加わり、また、指定ミスが発生する可能性もある。さらに、全てのグループに同一の電話番号を割り当てた場合には、ある１つのホームページに情報を掲載する利用者（会員）数が多いために、ファックスサーバ１０に対する電話回線が混雑し、他のホームページの会員が電話をかけてもつながりにくくなる可能性がある。しかし、一実施の形態におけるホームページ作成・更新システムによれば、ダイヤルインを利用してグループごとに電話番号を変えているので、ある１つの電話番号を利用する会員の数が多くて、回線が混む場合でも、ＮＴＴに対する契約を変更するだけで、容易に混む電話回線と混まない電話回線とを切り離すことができる。
【００２８】
本発明は、上述した一実施の形態に限定されることはない。例えば、ファックス端末ｆ１〜ｆ５はカラーファックス端末であるとして説明したが、カラー対応ではないファックス端末でもよい。この場合、ＷＷＷサーバ４０は、ファクシミリ用ＭＨ，ＭＲ，ＭＭＲ形式の画像をＷＷＷブラウザで表示するためのＰＮＧ形式の画像に変換する。
【００２９】
また、ファックスサーバ１０に対して、１本の回線ではなく、グループの数に対応する複数の回線を設けて、グループごとに異なる電話番号を割り当てるようにしてもよい。この場合にも、ファックスサーバ１０は、会員からの着呼電話番号に基づいて、ファックスを送信してきた会員のグループを識別することができる。
【００３０】
さらに、１本の電話回線で複数の電話番号を契約可能なサービスとして、ＮＴＴが提供するダイヤルインサービスを利用したが、他社が提供する同様のサービスを利用することもできる。
【００３１】
特許請求の範囲の構成要素と一実施の形態の構成要素との対応関係は次の通りである。すなわち、ファックスサーバ１０が受信手段および識別手段を、ＷＷＷサーバ４０がデータ変換手段およびホームページ生成手段を、ＳＱＬサーバ３０が記憶手段を、イメージデータベース２０が格納手段をそれぞれ構成する。なお、本発明の特徴的な機能を損なわない限り、各構成要素は上記構成に限定されるものではない。
【００３２】
【発明の効果】
本発明によるホームページ作成・更新装置およびホームページ作成・更新方法によれば、会員が契約を結んだホームページごとに専用の電話番号が定められており、会員からの着呼電話番号に基づいて、いずれのホームページの会員であるかを識別し、受信したファックスデータをホームページに掲載するためのデータに変換して、識別したホームページの作成・更新を行うので、会員が異なる複数のホームページを対象として、ファックスを利用したホームページの作成・更新を行うことができる。
【図面の簡単な説明】
【図１】本発明によるホームページ作成・更新装置の一実施の形態の全体構成を示す図
【図２】ＳＱＬサーバで管理するデータの階層構造を示す図
【図３】グループ番号と会員番号とパスワードとを対応させた会員番号テーブル
【図４】電話番号と地域ポータルサイトのグループ番号とを対応させたテーブル
【符号の説明】
１０…ファックスサーバ、２０…イメージデータベース、３０…ＳＱＬサーバ、４０…ＷＷＷサーバ、ｆ１〜ｆ５…カラーファックス端末
【図１】
2004259165.tif 000003
【図２】
2004259165.tif 000004
【図３】
2004259165.tif 000005
【図４】
2004259165.tif 000006